(57)【要約】  【課題】  ＩＣチップを実装した帳票とＩＣチップを実装していない帳票が混在している場合であっても、帳票を読み取るときの作業性を向上することのできる帳票読取り装置を提供する。  【解決手段】  帳票読取り装置２は、旅券Ｐに設けられた読取り領域の画像を光学的に読み取るカメラ６と、旅券ＰにＩＣチップが実装されているか否かを判定するチップ有無判定部１６と、判定の結果を表示するチップ有無表示部１０と、旅券ＰにＩＣチップが実装されていると判定された場合に、ＩＣチップに記録されたデータを無線通信で読み取るアンテナ部８とを備える。チップ有無判定部１０は、カメラ６が旅券Ｐの読取り領域の画像を読み取る前に、旅券ＰにＩＣチップが実装されているか否かの判定を行う。【選択図】  図１
2010134736.tif 000002
【特許請求の範囲】
【請求項１】
帳票に設けられた読取り領域を光学的に読み取る光学読取り手段と、
前記帳票にＩＣチップが実装されているか否かを判定するチップ有無判定手段と、
前記判定の結果を表示するチップ有無表示手段と、
前記帳票にＩＣチップが実装されていると判定された場合に、前記ＩＣチップに記録されたデータを読み取る無線読取り手段と、
前記読取り領域の画像を読み取る前に、前記ＩＣチップが実装されているか否かの判定を行うように判定タイミングを制御する判定タイミング制御手段と、
を備えたことを特徴とする帳票読取り装置。
【請求項２】
前記帳票が読取り面上に載置されているか否かを判定する帳票載置判定手段と、
前記帳票が読取り面上に載置されていると判定されたときに、前記帳票を載置した状態で保持すべき旨を示す帳票保持表示を行う保持表示手段と、
前記帳票にＩＣチップが実装されていないと判定された場合には、前記帳票保持表示をオフにするように表示タイミングを制御する表示タイミング制御手段と、
を備えたことを特徴とする請求項１に記載の帳票読取り装置。
【請求項３】
前記無線読取り手段は、前記読取り領域の画像の読取り結果を用いて、前記ＩＣチップのデータを読み取ることを特徴とする請求項１または請求項２に記載の帳票読取り装置。
【請求項４】
帳票にＩＣチップが実装されているか否かを判定して、その判定結果を表示し、
前記判定の後に、前記帳票に設けられた読取り領域の画像を光学的に読み取り、
前記帳票にＩＣチップが実装されていると判定された場合に、前記ＩＣチップに記録されたデータを読み取ることを特徴とする帳票読取り方法。
【請求項５】
前記帳票が読取り面上に載置されているか否かを判定し、
前記帳票が読取り面上に載置されていると判定されたときに、前記帳票を載置した状態で保持すべき旨を示す帳票保持表示を行い、
前記帳票にＩＣチップが実装されていないと判定された場合には、前記帳票保持表示をオフにすることを特徴とする請求項４に記載の帳票読取り方法。
【請求項６】
前記読取り領域の画像の読取り結果を用いて、前記ＩＣチップのデータを読み取ることを特徴とする請求項４または請求項５に記載の帳票読取り方法。
【請求項７】
帳票に設けられた読取り領域の画像を光学的に読み取る光学読取り手段と、
前記読取り領域の画像の読取り結果を表示する第１表示手段と、
前記帳票にＩＣチップが実装されているか否かを判定するチップ有無判定手段と、
前記判定の結果を表示するチップ有無表示手段と、
前記帳票にＩＣチップが実装されていると判定された場合に、前記ＩＣチップに記録されたデータを無線通信で読み取る無線読取り手段と、
前記ＩＣチップのデータの読取り結果を表示する第２表示手段と、
前記読取り領域の画像を読み取る前に、前記ＩＣチップが実装されているか否かの判定を行うように判定タイミングを制御する判定タイミング制御手段と、
を備えたことを特徴とする帳票読取りシステム。
【発明の詳細な説明】
【技術分野】
【０００１】
本発明は、帳票の読取り機能を備えた帳票読取り装置に関し、特に、帳票を読み取るときの作業性を向上する技術に関するものである。
【背景技術】
【０００２】
従来、旅券などの帳票を読み取る帳票読取り装置が知られており、空港の入国審査などで用いられている（例えば特許文献１参照）。従来の帳票読取り装置は、旅券に設けられた読取り領域を光学的に読み取って、読取り結果を画面に表示する機能を備えている。
【特許文献１】特開２００６−１４６３２８号公報
【０００３】
近年、ＩＣチップを実装した旅券が使用されるようになり、それに伴って、帳票読取り装置は、ＩＣチップに記録されたデータを読み取る機能を備えるものが使用されるようになってきた。このＩＣチップのデータを読み取るためには、光学的な読取り結果を用いてＩＣチップの内容を読み出す場合も想定される。そこで、従来の帳票読取り装置では、まず、旅券の読取り領域を光学的に読み取り、その後に、その旅券がＩＣチップを実装しているか否かの判定が行われる。そして、ＩＣチップを実装した旅券であった場合には、先の読取り結果を用いてＩＣチップのデータの読取りが行われる。
【発明の開示】
【発明が解決しようとする課題】
【０００４】
しかしながら、世界には、まだＩＣチップを実装した旅券への切り換えが行われていない国（まだＩＣチップを実装していない旅券を使用している国）も少なからず存在している。したがって、入国者が所持する旅券は、ＩＣチップを実装した旅券とＩＣチップを実装していない旅券が混在しているのが実情である。ところが、従来の帳票読取り装置では、ＩＣチップを実装した旅券とＩＣチップを実装していない旅券が混在している状況について考慮がなされていないという問題があった。
【０００５】
ＩＣチップを実装していない旅券であれば、読取り領域を光学的に読み取るだけでよく、この光学的な読取り処理は比較的短い時間で完了する。一方、ＩＣチップを実装した旅券の場合には、読取り領域の読取り後に、ＩＣチップのデータの読取りが行われる。このＩＣチップの読取り処理には比較的長い時間を要し、その処理が完了するまでの間、作業者は旅券を読取り面上に保持しておく必要がある。
【０００６】
しかし、ＩＣチップを実装した旅券とＩＣチップを実装していない旅券が混在している場合には、ＩＣチップを実装した旅券であるにもかかわらず（旅券を読取り面上にしばらく保持しておく必要があるにもかかわらず）、ＩＣチップを実装していない旅券であると思って作業者が旅券を読取り面上から離してしまい、ＩＣチップの読取りに失敗することがあった。そして、そのような場合には、もう一度、旅券の読取りを最初から行わなければならないという問題あった。
【０００７】
あるいは、ＩＣチップを実装していない旅券であるにもかかわらず（読取り処理は短い時間で完了しているにもかかわらず）、ＩＣチップを実装した旅券であるか否かが作業者には不明であるため、旅券を読取り面上にしばらく保持しておくこととなり、作業効率が低い（作業時間が長い）という問題があった。
【０００８】
本発明は、上記従来の問題を解決するためになされたもので、ＩＣチップを実装した帳票とＩＣチップを実装していない帳票が混在している場合であっても、帳票を読み取るときの作業性を向上することのできる帳票読取り装置を提供することを目的とする。
【課題を解決するための手段】
【０００９】
本発明の帳票読取り装置は、帳票に設けられた読取り領域の画像を光学的に読み取る光学読取り手段と、前記帳票にＩＣチップが実装されているか否かを判定するチップ有無判定手段と、前記判定の結果を表示するチップ有無表示手段と、前記帳票にＩＣチップが実装されていると判定された場合に、前記ＩＣチップに記録されたデータを無線通信で読み取る無線読取り手段と、前記読取り領域の画像を読み取る前に、前記ＩＣチップが実装されているか否かの判定を行うように判定タイミングを制御する判定タイミング制御手段と、を備えた構成を有している。
【００１０】
この構成により、ＩＣチップを実装した帳票とＩＣチップを実装していない帳票が混在している場合であっても、事前に（読取り領域の読取りが行われる前に）ＩＣチップが実装されているか否かの判定が行われ、その判定結果が表示される。したがって、ＩＣチップを実装した帳票の場合には、そのことを事前の表示（ＩＣチップ有の表示）によって予め知ることができるので、ＩＣチップのデータの読取りに十分な時間が経過するまで帳票を読取り面上に保持するようになる。すなわち、ＩＣチップを実装していない帳票であると思って帳票を読取り面上から離してしまう（ＩＣチップの読取りに失敗する）のを防ぐことができる。また、ＩＣチップを実装していない帳票の場合には、そのことを事前の表示（ＩＣチップ無の表示）によって予め知ることができるので、帳票の光学的な読取りが完了したら、すぐに次の作業に取り掛かることができる。すなわち、帳票を読取り面上にしばらく保持するようなことがなくなり、作業効率が高くなる（作業時間が短くなる）。
【００１１】
また、本発明の帳票読取り装置は、前記帳票が読取り面上に載置されているか否かを判定する帳票載置判定手段と、前記帳票が読取り面上に載置されていると判定されたときに、前記帳票を載置した状態で保持すべき旨を示す帳票保持表示を行う保持表示手段と、前記帳票にＩＣチップが実装されていないと判定された場合には、前記帳票保持表示をオフにするように表示タイミングを制御する表示タイミング制御手段と、を備えた構成を有している。
【００１２】
この構成により、帳票が読取り面上に載置されると帳票保持表示が行われ、ＩＣチップが実装されていないと判定されると、帳票保持表示がオフにされる。例えば、光学的な読取りが完了した後に、帳票保持表示がオフにされる。あるいは、帳票の載置後にＩＣチップの有無が検出され、載置後短時間で読取り結果が表示されるので、ＩＣチップを実装していない場合には、操作者を幻惑しないように帳票保持表示を行なわない（帳票保持表示を当初からオンしない）ように制御しても良い。このような帳票保持表示に従って作業を行うことよって、ＩＣチップを実装していない帳票の場合には、すぐに次の作業に取り掛かることができ、作業効率が高くなる（作業時間が短くなる）。一方、ＩＣチップを実装している帳票の場合には、帳票保持表示がオンのままになり、この帳票保持表示に従って作業を行う（帳票を読取り面上に載置したままにしておく）ことによって、ＩＣチップの読取りに失敗するのを防ぐことができる。
【００１３】
また、本発明の帳票読取り装置では、前記無線読取り手段は、前記読取り領域の画像の読取り結果を用いて、前記ＩＣチップのデータを読み取る構成を有している。
【００１４】
このように、光学的な読取り結果を用いてＩＣチップのデータを読み取るような場合であっても、事前に（読取り領域の読取りが行われる前に）ＩＣチップが実装されているか否かの判定が行われる。そして、その判定結果を事前の表示によって予め知ることができるので、ＩＣチップを実装した帳票とＩＣチップを実装していない帳票が混在している場合であっても、ＩＣチップの有無に応じた読取り作業を行うことができ、帳票を読み取るときの作業性が向上する。
【００１５】
本発明の帳票読取り方法は、帳票にＩＣチップが実装されているか否かを判定して、その判定結果を表示し、前記判定の後に、前記帳票に設けられた読取り領域の画像を光学的に読み取り、前記帳票にＩＣチップが実装されていると判定された場合に、前記ＩＣチップに記録されたデータを無線通信で読み取る。
【００１６】
この方法によっても、上記と同様に、ＩＣチップを実装した帳票の場合には、そのことを事前の表示（ＩＣチップ有の表示）によって予め知ることができ、ＩＣチップを実装していない帳票であると思って帳票を読取り面上から離してしまう（ＩＣチップの読取りに失敗する）のを防ぐことができる。また、ＩＣチップを実装していない帳票の場合には、そのことを事前の表示（ＩＣチップ無の表示）によって予め知ることができるので、帳票の光学的な読取りが完了したら、すぐに次の作業に取り掛かることができ、作業効率が高くなる（作業時間が短くなる）。
【００１７】
また、本発明の帳票読取り方法は、前記帳票が読取り面上に載置されているか否かを判定し、前記帳票が読取り面上に載置されていると判定されたときに、前記帳票を載置した状態で保持すべき旨を示す帳票保持表示を行い、前記帳票にＩＣチップが実装されていないと判定された場合には、前記帳票保持表示をオフにする。
【００１８】
この方法により、ＩＣチップを実装していない帳票の場合には、帳票保持表示がオフにされる。例えば、帳票が読取り面上に載置されると帳票保持表示がオンになり、光学的な読取りが完了した後に帳票保持表示がオフにされる。あるいは、帳票の載置後にＩＣチップの有無が検出され、載置後短時間で読取り結果が表示されるので、ＩＣチップを実装していない場合には、操作者を幻惑しないように帳票保持表示を行なわない（帳票保持表示を当初からオンしない）ように制御しても良い。このような帳票保持表示に従って作業を行うことより、すぐに次の作業に取り掛かることができ、作業効率が高くなる（作業時間が短くなる）。一方、ＩＣチップを実装している帳票の場合には、帳票保持表示がオンのままになり、この帳票保持表示に従って作業を行う（帳票を読取り面上に載置したままにしておく）ことによって、ＩＣチップの読取りに失敗するのを防ぐことができる。
【００１９】
また、本発明の帳票読取り方法では、前記読取り領域の画像の読取り結果を用いて、前記ＩＣチップのデータを読み取る。
【００２０】
この方法により、光学的な読取り結果を用いてＩＣチップのデータを読み取るような場合であっても、事前に（読取り領域の読取りが行われる前に）ＩＣチップが実装されているか否かの判定が行われる。そして、その判定結果を事前の表示によって予め知ることができるので、ＩＣチップを実装した帳票とＩＣチップを実装していない帳票が混在している場合であっても、ＩＣチップの有無に応じた読取り作業を行うことができ、帳票を読み取るときの作業性が向上する。
【００２１】
本発明の帳票読取りシステムは、帳票に設けられた読取り領域の画像を光学的に読み取る光学読取り手段と、前記読取り領域の画像の読取り結果を表示する第１表示手段と、前記帳票にＩＣチップが実装されているか否かを判定するチップ有無判定手段と、前記判定の結果を表示するチップ有無表示手段と、前記帳票にＩＣチップが実装されていると判定された場合に、前記ＩＣチップに記録されたデータを無線通信で読み取る無線読取り手段と、前記ＩＣチップのデータの読取り結果を表示する第２表示手段と、前記読取り領域の画像を読み取る前に、前記ＩＣチップが実装されているか否かの判定を行うように判定タイミングを制御する判定タイミング制御手段と、を備えた構成を有している。
【００２２】
このシステムによっても、上記と同様に、ＩＣチップを実装した帳票の場合には、そのことを事前の表示（ＩＣチップ有の表示）によって予め知ることができ、ＩＣチップを実装していない帳票であると思って帳票を読取り面上から離してしまう（ＩＣチップの読取りに失敗する）のを防ぐことができる。また、ＩＣチップを実装していない帳票の場合には、そのことを事前の表示（ＩＣチップ無の表示）によって予め知ることができるので、帳票の光学的な読取りが完了したら、すぐに次の作業に取り掛かることができ、作業効率が高くなる（作業時間が短くなる）。
【発明の効果】
【００２３】
本発明は、帳票の光学的な読取りを行う前に、その帳票にＩＣチップが実装されているか否かを判定するチップ有無判定手段を設けることにより、ＩＣチップを実装した帳票とＩＣチップを実装していない帳票が混在している場合であっても、帳票を読み取るときの作業性を向上することができるという効果を有する帳票読取り装置を提供することができるものである。
【発明を実施するための最良の形態】
【００２４】
以下、本発明の実施の形態の帳票読取り装置について、図面を用いて説明する。本実施の形態では、空港の入国審査で使用される旅券の読取り装置の場合を例示する。なお、本発明の帳票読取り装置は、これに限定されるものではなく、飛行機の搭乗券の読取り装置、ホテルのフロントで使用される旅券の読取り装置、あるいは、その他の身分証の読取り装置などが含まれてよい。
【００２５】
まず、本発明の実施の形態の帳票読取りシステムの全体の構成について、図面を用いて説明する。図１は、本実施の形態の帳票読取りシステムの構成の説明図である。図１に示すように、帳票読取りシステム１は、旅券を読み取る帳票読取り装置２と、その帳票読取り装置２から読み取ったデータ（読取り結果のデータ）が送られる上位装置３（例えばパーソナルコンピュータなど）を備えている。上位装置３は、読取り結果のデータを表示する画面４を備えている。なお、本実施の形態では、上位装置３が、帳票読取り装置２と別体になっている場合について例示するが、この上位装置３と帳票読取り装置２は一体であってもよい（この上位装置３の機能が、帳票読取り装置２に組み込まれていてもよい）。
【００２６】
つぎに、図１および図２を参照して、帳票読取り装置２の構成について説明する。図２は、帳票読取り装置２の斜視図である。図１および図２に示すように、帳票読取り装置２の上面には、旅券を載せるための読取り面５が設けられている。この読取り面５上に、旅券が開いた状態で下向きに載置される。
【００２７】
帳票読取り装置２には、読取り面５上に置かれた旅券の記載内容を光学的に読み取るカメラ６と、読取り面５上に置かれた旅券を下側から照らす照明部７が内蔵されている。旅券には、機械で読み取るための読取り領域が設けられており、カメラ６は、照明部７によって照らされた旅券の読取り領域の画像を、透明なガラス板を通して下側から撮影できるように構成されている。ここでは、カメラ６が、本発明の光学読取り手段に相当する。
【００２８】
また、帳票読取り装置２には、旅券に実装されたＩＣチップと無線通信をするためのアンテナ部８が内蔵されている。アンテナ部８は、読取り面５に置かれた旅券の周囲を囲むように、読取り面５の直下に配置されている。このアンテナ部８によって、旅券のＩＣチップに記録されたデータを無線通信で読み取ることができる。ここでは、このアンテナ部８が、本発明の無線読取り手段に相当する。
【００２９】
帳票読取り装置２の上面の端部には、二つの表示部（帳票保持表示部９とＩＣチップ有り表示部１０）が設けられている。帳票保持表示部９では、旅券を読取り面５上に載置した状態で保持すべきであることを示す帳票保持表示が行われる。この場合、帳票保持表示部９は、ＬＥＤで構成されており、旅券を読取り面５上に載置した状態で保持すべきであるときには、ＬＥＤが点灯（オン）するように制御されている。この帳票保持表示部９が、本発明の保持表示手段に相当する。
【００３０】
ＩＣチップ有り表示部１０では、読取り面５上に載置された旅券にＩＣチップが実装されていることを示すＩＣチップ有り表示が行われる。この場合、ＩＣチップ有り表示部１０は、ＬＥＤで構成されており、読取り面５上に置かれた旅券にＩＣチップが実装されている場合には、ＬＥＤが点灯（オン）するように制御されている。このＩＣチップ有り表示部１０が、本発明のチップ有無表示手段に相当する。なお、後述するように、帳票保持表示部９は、読取り面５上に置かれた旅券にＩＣチップが実装されていない場合には、ＬＥＤが消灯（オフ）するように制御されている。また、作業性を考慮しいづれかのＬＥＤが短時間でも点灯すると作業者を幻惑することも考えられるため、ＩＣチップが搭載されていない場合は表示を２つとも点灯しないことも好ましい。したがって、帳票保持表示部９は、本発明のチップ有無表示手段に相当するともいえる。
【００３１】
そして、帳票読取り装置２には、ＣＰＵやマイコンなどで構成された制御部１１が内蔵されている。この制御部１１は、カメラ６、照明部７、アンテナ部８、表示部（帳票保持表示部９とＩＣチップ有り表示部１０）の動作を制御する機能を有している。
【００３２】
図３は、制御部１１の各機能を実現するための構成を示すブロック図である。図３に示すように、制御部１１は、カメラ６や照明部７の動作を制御するための撮影制御部１２と、アンテナ部８の動作を制御するための通信制御部１３を備えている。また、制御部１１は、カメラ６によって撮影された読取り領域の画像に文字認識処理（ＯＣＲ処理）を施す文字認識処理部１４を備えている。
【００３３】
また、制御部１１は、カメラ６によって撮影された画像に基づいて、読取り面５上に旅券が載置されたか否かを判定する帳票載置判定部１５と、アンテナ部８からの無線通信結果（ポーリングに対するＩＣチップからの応答の有無）に基づいて、旅券にＩＣチップが内蔵されているか否かを判定するチップ有無判定部１６を備えている。ここでは、帳票載置判定部１５が、本発明の帳票載置判定手段に相当し、チップ有無判定部１６が、本発明のチップ有無判定手段に相当する。また、前述のようにＩＣチップが実装されていない場合は表示をオンしないことが好ましい場合もある。
【００３４】
この制御部１１は、チップ有無判定部１６によるＩＣチップの有無の判定処理を行うタイミングを制御する判定タイミング制御部１７を備えている。この判定タイミング制御部１７によるタイミング制御に基づいて、撮影制御部１２と通信制御部１３は、読取り領域の画像を光学的に読み取る処理を行う前に、ＩＣチップが実装されているか否かの判定を行うように、カメラ６とアンテナ部８の動作タイミングを制御する。ここでは、この判定タイミング制御部１７が、本発明の判定タイミング制御手段に相当する。
【００３５】
また、制御部１１は、表示部（帳票保持表示部９とＩＣチップ有り表示部１０）が表示のオン・オフを行うタイミングを制御する表示タイミング制御部１８を備えている。この表示タイミング制御部１８によるタイミング制御に基づいて、帳票保持表示部９とＩＣチップ有り表示部１０では、表示のオン・オフが制御される。具体的には、帳票保持表示部９は、読取り面５上に旅券が載置されたときに表示がオンになるように制御される。また、帳票保持表示部９は、ＩＣチップが実装されている旅券の場合には、ＩＣチップの読取りが完了した後に表示がオフになり、ＩＣチップが実装されていない旅券の場合には、光学的な読取りが完了した後に表示がオフになるように制御される。一方、ＩＣチップ有り表示部１０は、ＩＣチップが実装されていると判定されたときに表示がオンになり、ＩＣチップの読取りが完了した後に表示がオフになるように制御される。ここでは、この表示タイミング制御部１８が、本発明の表示タイミング制御手段に相当する。
【００３６】
つぎに、上位装置３の画面表示について説明する。図４は、画面表示の一例を示す図である。図４に示すように、画面４には、二つの表示フレームが設けられている。第１表示フレーム１９（図４の上側のフレーム）には、旅券の読取り領域の読取り結果が表示され、第２表示フレーム２０（図４の下側のフレーム）には、ＩＣチップの読取り結果（ＩＣチップに記録されているデータ）が表示される。作業者は、この二つの表示フレームに表示された読取り結果を見ることによって、旅券の所持者が本人であることや旅券が本物であること等の確認作業を行う。ここでは、第１表示フレーム１９が、本発明の第１表示手段に相当し、第２表示フレーム２０が、本発明の第２表示手段に相当する。
【００３７】
以上のように構成された帳票読取りシステム１について、図５を用いてその動作を説明する。
【００３８】
本実施の形態の帳票読取りシステム１を用いて旅券の読取り作業を行うときには、まず、帳票読取り装置２の読取り面５上に旅券を開いた状態で下向きに載置する。そうすると、帳票載置判定部１５が、カメラ６によって撮影された画像に基づいて、読取り面５上に旅券が載置されたか否かを判定する（Ｓ１）。旅券が載置されたと判定されると、帳票保持表示部９のＬＥＤがオンになり（Ｓ２）、アンテナ部８がＩＣチップへのポーリングを開始する（Ｓ３）。
【００３９】
ポーリングに対してＩＣチップからの応答があった場合には（Ｓ４）、旅券にＩＣチップが実装されていると判定され、ＩＣチップ有り表示のＬＥＤがオンになる（Ｓ５）。このＩＣチップ有り表示のＬＥＤがオンにされると、作業者は、旅券にＩＣチップが実装されていることを知ることができ、その表示に従って旅券を読取り面５上に載置したままで保持する。また、図示しないが、ＩＣチップが実装されていない場合には、ステップ２（Ｓ２）をステップ４（Ｓ４）の後として、帳票保持表示を表示しないことも作業者を幻惑する可能性が減少し、好ましい。
【００４０】
その後、帳票読取り装置２は、旅券の読取り領域の画像をカメラ６で撮影し（Ｓ６）、撮影された画像に文字認識処理を施す（Ｓ７）。このようにして読取り領域から読み取られた情報（読取り結果）は、上位装置３の画面４の第１表示フレーム１９に表示される。
【００４１】
つぎに、帳票読取り装置２は、ＩＣチップに記録されているデータの読取りを実行する（Ｓ８）。ＩＣチップのデータの読取りが完了すると（Ｓ９）、その読取り結果のデータが、上位装置３の画面４の第２表示フレーム２０に表示される。そして、帳票保持表示のＬＥＤがオフになり（Ｓ１０）、また、ＩＣチップ有り表示がオフになる（Ｓ１１）。
【００４２】
一方、ポーリングに対して応答がなかった場合には（Ｓ４）、旅券にＩＣチップが実装されていないと判定され、旅券の読取り領域の画像がカメラ６で撮影される（Ｓ１２）。このとき、帳票保持表示のＬＥＤがオフになる（Ｓ１３）。その後、撮影された画像に文字認識処理が施されて（Ｓ１４）、その読取り結果が、上位装置３の画面４の第１表示フレーム１９に表示される。このように（ＩＣチップ有り表示がオンにならずに）、帳票保持表示のＬＥＤがオフになると、作業者は、旅券にＩＣチップが実装されていなかったことを知ることができる。すなわち、帳票保持表示のオフは、ＩＣチップ無しの表示であるともいえる。
【００４３】
このような本発明の実施の形態の帳票読取り装置２によれば、旅券の光学的な読取りを行う前に、その旅券にＩＣチップが実装されているか否かを判定するチップ有無判定手段を設けることにより、ＩＣチップを実装した旅券とＩＣチップを実装していない旅券が混在している場合であっても、旅券を読み取るときの作業性を向上することができる。
【００４４】
すなわち、本実施の形態では、ＩＣチップを実装した旅券とＩＣチップを実装していない旅券が混在している場合であっても、事前に（読取り領域の読取りが行われる前に）ＩＣチップが実装されているか否かの判定が行われ、その判定結果が表示される。したがって、ＩＣチップを実装した旅券の場合には、そのことを事前の表示（ＩＣチップ有の表示）によって予め知ることができるので、ＩＣチップのデータの読取りに十分な時間が経過するまで旅券を読取り面５上に保持するようになる。すなわち、ＩＣチップを実装していない旅券であると思って旅券を読取り面５上から離してしまう（ＩＣチップの読取りに失敗する）のを防ぐことができる。また、ＩＣチップを実装していない旅券の場合には、そのことを事前の表示（ＩＣチップ無の表示）によって予め知ることができるので、旅券の光学的な読取りが完了したら、すぐに次の作業に取り掛かることができる。すなわち、旅券を読取り面５上にしばらく保持するようなことがなくなり、作業効率が高くなる（作業時間が短くなる）。
【００４５】
また、本実施の形態では、旅券が読取り面５上に載置されると帳票保持表示が行われ、ＩＣチップが実装されていないと判定されると、光学的な読取りが完了した後に帳票保持表示がオフにされる。このような帳票保持表示に従って作業を行うことよって、ＩＣチップを実装していない旅券の場合には、すぐに次の作業に取り掛かることができ、作業効率が高くなる（作業時間が短くなる）。一方、ＩＣチップを実装している旅券の場合には、帳票保持表示がオンのままになり、この帳票保持表示に従って作業を行う（旅券を読取り面５上に載置したままにしておく）ことによって、ＩＣチップの読取りに失敗するのを防ぐことができる。
【００４６】
また、本実施の形態では、光学的な読取り結果を用いてＩＣチップのデータを読み取るような場合であっても、事前に（読取り領域の読取りが行われる前に）ＩＣチップが実装されているか否かの判定が行われる。そして、その判定結果を事前の表示によって予め知ることができるので、ＩＣチップを実装した旅券とＩＣチップを実装していない旅券が混在している場合であっても、ＩＣチップの有無に応じた読取り作業を行うことができ、旅券を読み取るときの作業性が向上する。
【００４７】
なお、本実施の形態では、旅券の読取りを行っているときの作業者の視線の動きが円滑になる。まず、作業者は、旅券を読取り面５の上に載せて、帳票読取り装置２に視線を向けると、帳票保持表示がオンになった後、ＩＣチップが実装されているか否かの判定結果に応じて、ＩＣチップ有の表示がオンされるか、または、帳票保持表示がオフされる。作業者は、ＩＣチップ有の表示がオンされた後、または、帳票保持表示がオフされた後、視線を画面４に向ければよい。ＩＣチップ有の表示がオンされた場合には、すぐに読取り領域の画像が第１フレームに表示され、しばらくしてからＩＣチップのデータが第２フレームに表示される。一方、帳票保持表示がオフされた場合には、すぐに読取り領域の画像が第１フレームに表示される。このように、本実施の形態では、旅券の読取りを行うときに、無駄な視線の往復（帳票読取り装置２と画面４との間で視線を行ったり来たりすること）がなくなる。
【００４８】
以上、本発明の実施の形態を例示により説明したが、本発明の範囲はこれらに限定されるものではなく、請求項に記載された範囲内において目的に応じて変更・変形することが可能である。
【００４９】
例えば、以上の説明では、ＩＣチップ有の表示をオン・オフした場合を例示して説明したが、本発明の範囲はこれに限定されるものではない。例えば、ＩＣチップ有とＩＣチップ無の二つの表示を行ってもよく、または、ＩＣチップ無の表示をオン・オフしてもよい。また、ＩＣチップ有やＩＣチップ無を示すのに、他の表示（帳票保持表示や電源表示など）を利用してもよい。
【産業上の利用可能性】
【００５０】
以上のように、本発明にかかる帳票読取り装置は、ＩＣチップを実装した帳票とＩＣチップを実装していない帳票が混在している場合であっても、帳票を読み取るときの作業性を向上することができるという効果を有し、旅券を読み取るための旅券読取り装置等として使用され、有用である。
【図面の簡単な説明】
【００５１】
【図１】本実施の形態における帳票読取りシステムの全体構成を示す説明図
【図２】本実施の形態における帳票読取り装置の斜視図
【図３】帳票読取り装置の制御部の構成を示すブロック図
【図４】読取り結果の表示画面の一例を示す図
【図５】本実施の形態における帳票読取り装置の動作の流れを説明するためのフロー図
【符号の説明】
【００５２】
１  帳票読取りシステム
２  帳票読取り装置
３  上位装置
４  画面
５  読取り面
６  カメラ
７  照明部
８  アンテナ部
９  帳票保持表示部
１０  ＩＣチップ有り表示部
１１  制御部
１２  撮影制御部
１３  通信制御部
１４  文字認識処理部
１５  帳票載置判定部
１６  チップ有無判定部
１７  判定タイミング制御部
１８  表示タイミング制御部
１９  第１表示フレーム
２０  第２表示フレーム
Ｐ  旅券
【図１】
2010134736.tif 000003
【図２】
2010134736.tif 000004
【図３】
2010134736.tif 000005
【図４】
2010134736.tif 000006
【図５】
2010134736.tif 000007
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
帳票に設けられた読取り領域を光学的に読み取る光学読取り手段と、
前記帳票にＩＣチップが実装されているか否かを判定するチップ有無判定手段と、
前記帳票にＩＣチップが実装されていると判定された場合に、前記ＩＣチップに記録されたデータを読み取る無線読取り手段と、
前記読取り領域の画像を読み取る前に、前記ＩＣチップが実装されているか否かの判定を行うように判定タイミングを制御する判定タイミング制御手段と、
前記帳票が読取り面上に載置されているか否かを判定する帳票載置判定手段と、
前記帳票が読取り面上に載置されていると判定されたときに、前記帳票を載置した状態で保持すべき旨を示す帳票保持表示を行う保持表示手段と、
前記帳票にＩＣチップが実装されていないと判定された場合には、前記帳票保持表示をオフにするように表示タイミングを制御する表示タイミング制御手段と、
を備えたことを特徴とする帳票読取り装置。
【請求項２】
前記無線読取り手段は、前記読取り領域の画像の読取り結果を用いて、前記ＩＣチップのデータを読み取ることを特徴とする請求項１に記載の帳票読取り装置。
【請求項３】
帳票にＩＣチップが実装されているか否かを判定し、
前記判定の後に、前記帳票に設けられた読取り領域の画像を光学的に読み取り、
前記帳票にＩＣチップが実装されていると判定された場合に、前記ＩＣチップに記録されたデータを読み取る帳票読取り方法において、
前記帳票が読取り面上に載置されているか否かを判定し、
前記帳票が読取り面上に載置されていると判定されたときに、前記帳票を載置した状態で保持すべき旨を示す帳票保持表示を行い、
前記帳票にＩＣチップが実装されていないと判定された場合には、前記帳票保持表示をオフにすることを特徴とする帳票読取り方法。
【請求項４】
前記読取り領域の画像の読取り結果を用いて、前記ＩＣチップのデータを読み取ることを特徴とする請求項３に記載の帳票読取り方法。
【請求項５】
帳票に設けられた読取り領域の画像を光学的に読み取る光学読取り手段と、
前記読取り領域の画像の読取り結果を表示する第１表示手段と、
前記帳票にＩＣチップが実装されているか否かを判定するチップ有無判定手段と、
前記帳票にＩＣチップが実装されていると判定された場合に、前記ＩＣチップに記録されたデータを無線通信で読み取る無線読取り手段と、
前記ＩＣチップのデータの読取り結果を表示する第２表示手段と、
前記読取り領域の画像を読み取る前に、前記ＩＣチップが実装されているか否かの判定を行うように判定タイミングを制御する判定タイミング制御手段と、
前記帳票が読取り面上に載置されているか否かを判定する帳票載置判定手段と、
前記帳票が読取り面上に載置されていると判定されたときに、前記帳票を載置した状態で保持すべき旨を示す帳票保持表示を行う保持表示手段と、
前記帳票にＩＣチップが実装されていないと判定された場合には、前記帳票保持表示をオフにするように表示タイミングを制御する表示タイミング制御手段と、
を備えたことを特徴とする帳票読取りシステム。